(57)【要約】【課題】手摺部の支持剛性を高めるとともに、手摺部および支柱を利用して安価に階段の支持剛性を向上可能な階段構造を提供すること。【解決手段】ユニット建物１の１階床Ｆ１（下階）と２階床Ｆ２（上階）とを連絡する階段１０と、１階床Ｆ１から立設された複数の支柱７０（ａ）〜（ｄ）と、支柱７０（ａ）〜（ｄ）の上端部が連結され、階段１０の傾斜に沿って延在された手摺部としての笠木６０と、を備え、支柱７０（ａ）〜（ｄ）は、下端部が１階床Ｆ１に固定されているとともに、中間部が階段１０に固定されていることを特徴とする階段構造とした。【選択図】図３
2018162639.tif 000002
【特許請求の範囲】
【請求項１】
建物の下階と上階とを連絡する階段と、
前記下階の床から立設された複数の支柱と、
前記支柱の上端部が連結され、前記階段の傾斜に沿って延在された手摺部と、
を備え、
前記支柱は、下端部が前記床に固定されているとともに、中間部が階段に固定されていることを特徴とする階段構造。
【請求項２】
請求項１に記載の階段構造において、
前記支柱の間に、上端縁が前記階段の傾斜に沿って傾斜した壁面パネルが、前記支柱に固定されて設けられていることを特徴とする階段構造。
【請求項３】
請求項２に記載の階段構造において、
前記壁面パネルは、上端部が前記手摺部に結合されていることを特徴とする階段構造。
【請求項４】
請求項２または請求項３に記載の階段構造において、
前記壁面パネルは、透光性を有するパネル材と、このパネル材の外周を囲んで保持可能な剛性を有する枠部材と、を備えることを特徴とする階段構造。
【請求項５】
請求項１〜請求項４のいずれか１項に記載の階段構造において、
前記支柱の中間部の前記階段への固定は、前記階段の段板に対して成されていることを特徴とする階段構造。
【請求項６】
請求項１〜請求項４のいずれか１項に記載の階段構造において、
前記支柱の中間部の前記階段への固定は、前記階段の階段桁に対して成されていることを特徴とする階段構造。
【請求項７】
請求項１〜請求項６のいずれか１項に記載の階段構造において、
前記階段は、前記床の床小梁に直交する方向に延在され、
前記階段の延在方向に沿って、前記床の床小梁と床小梁とを連結した支柱支持部材が設けられ、
前記支柱の下端部が、前記床の床板および前記支柱支持部材に固定されていることを特徴とする階段構造。
【請求項８】
請求項７に記載の階段構造において、
前記支柱支持部材に連結された前記床小梁と前記基礎スラブとの間に、束が設けられていることを特徴とする階段構造。
【請求項９】
請求項１〜請求項８のいずれか１項に記載された階段構造において、
前記支柱は、前記下階の床に固定されたベースプレートから立設した突出部と、前記突出部が挿入される差込部が下端に形成された支柱本体部と、を有することを特徴とする階段構造。
【請求項１０】
請求項９に記載された階段構造において、
前記支柱本体は、中空に形成され、内部に内側補強部材が収容されていることを特徴とする階段構造。
【請求項１１】
請求項１〜請求項７のいずれか１項に記載の階段構造において、
前記支柱の下端部が、前記床を貫通して床下の基礎に固定されていることを特徴とする階段構造。
【請求項１２】
請求項１１に記載の階段構造において、
前記支柱の下端部の前記床への固定は、前記床の床小梁に対して成されていることを特徴とする階段構造。
【発明の詳細な説明】
【技術分野】
【０００１】
本開示は、階段構造に関するものである。
【背景技術】
【０００２】
従来、階段に笠木などの手摺部を支持する複数の支柱を立設したもの階段構造が知られている（例えば、特許文献１〜４参照）。
この従来の階段構造は、複数の支柱が階段の段板から立ち上げられ、その上端部で手摺部を支持した構造となっている。また、複数の支柱のうち、最下段、最上段に配置されたものや、踊り場に配置されたものは、支柱が下階の床、踊り場の床、上階の床から立ち上げられている場合もある。
また、特許文献１に記載の階段構造では、最下段の支柱を支持する段板が、床に連結された構造となっている。
【先行技術文献】
【特許文献】
【０００３】
【特許文献１】特許第5386708号公報
【特許文献２】特許第4938396号公報
【特許文献３】特許第4948995号公報
【特許文献４】特許第5899480号公報
【発明の概要】
【発明が解決しようとする課題】
【０００４】
ところで、従来、階段では、手摺部の支持剛性が求められているとともに、昇降時に生じる音や振動を抑えることが求められている。特に、階段が、室外の共用スペースに設けられたものでは、このような音、振動を抑えることの要求度が高い。
しかしながら、上述の従来技術では、手摺部の長手方向の中間部を支持する支柱は、階段の段板から立ち上げた下端で支持した片持ち支持構造となっている。このため、手摺部自体の剛性確保に苦慮していた。
さらに、手摺部および支柱は、階段の支持剛性を高めるのに十分に寄与するものではなかった。このため、別途、階段の支持剛性を高める構造が必要で、その分、部品点数増やコストアップを招いていた。
【０００５】
本開示は、手摺部の支持剛性を高めるとともに、手摺部および支柱を利用して安価に階段の支持剛性を向上可能な階段構造を提供することを目的とする。
【課題を解決するための手段】
【０００６】
本開示の階段構造は、
建物の下階と上階とを連絡する階段と、
前記下階の床から立設された複数の支柱と、
前記支柱の上端部が連結され、前記階段の傾斜に沿って延在された手摺部と、
を備え、
前記支柱は、下端部が前記床に固定されているとともに、中間部が階段に固定されていることを特徴とする階段構造とした。
【０００７】
そして、前記支柱の間に、上端縁が前記階段の傾斜に沿って傾斜した壁面パネルが、前記支柱に固定されて設けられていることが好ましい。
また、前記壁面パネルは、上端部が前記手摺部に結合されていることが好ましい。
さらに、前記壁面パネルは、透光性を有するパネル材と、このパネル材の外周を囲んで保持可能な剛性を有する枠部材と、を備えることが好ましい。
また、支柱の中間部の階段への固定は、階段の段板に対して成されていてもよい。
あるいは、前記支柱の中間部の前記階段への固定は、前記階段の階段桁に対して成されていてもよい。
さらに、前記階段は、前記床の床小梁に直交する方向に延在され、前記階段の延在方向に沿って、前記床の床小梁と床小梁とを連結した支柱支持部材が設けられ、前記支柱の下端部が、前記床の床板および前記支柱支持部材に固定されていることが好ましい。
また、前記支柱支持部材に連結された前記床小梁と前記基礎スラブとの間に、束が設けられていることが好ましい。
そして、前記支柱は、前記下階の床に固定されたベースプレートから立設した突出部と、前記突出部が挿入される差込部が下端に形成された支柱本体部と、を有することが好ましい。
さらに、前記支柱本体は、中空に形成され、内部に内側補強部材が収容されていることが好ましい。
また、前記支柱の下端部が、前記床を貫通して床下の基礎に固定されていてもよい。
そして、前記支柱の下端部の前記床への固定は、前記床の床小梁に対して成されていてもよい。
【発明の効果】
【０００８】
よって、本開示の階段構造では、手摺部を支持する支柱が、下端部を床に固定されているとともに、中間部が階段に固定されている。このため、本開示の階段構造は、支柱を階段の段板から立設した構造のものと比較して、手摺部の支持剛性を高めることができるとともに、階段の支持剛性を高めることができる。
【０００９】
さらに、支柱の間に、上端縁が前記階段の傾斜に沿って傾斜した壁面パネルが設けられたものでは、壁面パネルを備えないものと比較して、支柱の支持剛性を高めることができる。これにより、手摺部の支持剛性および階段の支持剛性を向上できる。
また、支柱間に設けられた壁面パネルの上端縁が手摺部に結合されたものでは、支柱、手摺部、壁面パネルが相互に結合され、壁面パネルを手摺部に結合しないものと比較して、手摺部の支持剛性および階段の支持剛性をさらに向上できる。
そして、壁面パネルが透光性を有したパネル材と、剛性を有する枠部材とを備えるものでは、視認性を確保できるとともに、枠部材により手摺部の支持剛性および階段の支持剛性をさらに向上できる。
また、支柱の中間部を、階段の段板に固定したものは、階段桁が存在しない階段や位置であっても、支柱の中間を階段に固定することができる。
また、支柱の中間部を階段桁に固定したものでは、支柱を強固に階段に対して固定するのが容易である。
さらに、支柱の下端部を、床小梁どうしを連結した支持部材に固定したものでは、単に床に固定したものと比較して、手摺部の支持剛性および階段の支持剛性をさらに向上できる。
そして、支持部材と基礎スラブとの間に束が設けられた構造では、この束を設けないものと比較して、手摺部の支持剛性および階段の支持剛性をさらに向上できる。
加えて、床小梁と基礎スラブとの間に束が設けられた構造では、この束を設けないものと比較して、床の剛性が向上し、これにより手摺部および階段の支持剛性も向上する。
また、支柱が、床に固定されたベースプレートから立設された突出部と、この突出部が挿入される支柱本体部とを備えたものでは、支柱の長さが異なるものでも、突出部を共用することができる。また、全長が長い支柱を直接床に固定するものと比較して、床への固定作業時の施工性に優れる。
さらに、中空の支柱本体部に内側補強部材を挿入したものでは、支柱の剛性を容易に効率的に向上可能である。
また、支柱が床を貫通して基礎スラブに固定された構造では、支柱を強固に固定することが可能であるとともに、支柱の振動が床に伝達されるのを抑えることができる。そして、この支柱の床への固定が床小梁に固定した構造としたものでは、床に固定するものと比較して、さらに支持剛性を向上させることが可能となる。
【図面の簡単な説明】
【００１０】
【図１】実施の形態１の階段構造を適用した階段を備えるユニット建物の平面図である。
【図２】実施の形態１の階段構造を適用した階段の一部を示す分解斜視図である。
【図３】実施の形態１の階段構造を適用した階段を示す断面図である。
【図４Ａ】実施の形態１の階段構造を適用した階段および床構造の要部を示す拡大断面図であって、階段を正面から見た状態を示す。
【図４Ｂ】実施の形態１の階段構造を適用した階段および床構造の要部を示す拡大断面図であって、階段を側方から見た状態を示す。
【図４Ｃ】実施の形態１の階段構造を適用した階段の最も下の段板と支柱との結合状態を示す斜視図である。
【図５】実施の形態１の階段構造を適用した階段を備える階段ユニットの床構造の要部を示す斜視図である。
【図６】実施の形態１の階段構造の笠木部分の断面図であって、図３のＳ６−Ｓ６線の位置での断面を示す。
【図７】実施の形態１の階段構造に用いた支柱の分解斜視図である。
【図８Ａ】実施の形態１の階段構造を適用した階段の最も低い位置に設置された支柱の横断面図であって、図３のＳ８Ａ−Ｓ８Ａ線の位置での断面を示す。
【図８Ｂ】実施の形態１の階段構造を適用した階段の最も低い位置以外に設置された１階床から立ち上げられた支柱の横断面図であって、図３のＳ８Ｂ−Ｓ８Ｂ線の位置での断面を示す。
【図９】実施の形態１の階段構造の支柱における壁面パネルの下部の支持構造を示す斜視図であって、壁面パネルの設置直前の状態（上）と設置後の状態（下）とを示す。
【図１０Ａ】実施の形態１の階段構造における支柱と階段桁との結合状態を説明する斜視図である。
【図１０Ｂ】実施の形態１の階段構造における支柱と階段桁との結合部分を上方から見た図である。
【図１１Ａ】実施の形態２の階段構造を適用した階段および床構造の要部を示す断面図であって、階段を正面から見た状態を示す。
【図１１Ｂ】実施の形態２の階段構造を適用した階段および床構造の要部を示す断面図であって、階段を側方から見た状態を示す。
【図１１Ｃ】実施の形態１の階段構造を適用した階段の最も下の段板と支柱との結合状態を示す斜視図である。
【図１２】実施の形態の階段構造を適用した階段を備えるユニット建物の他の例を示す平面図である。
【発明を実施するための形態】
【００１１】
以下、本開示の階段構造を実施するための形態を、図面に基づいて説明する。
（実施の形態１）
実施の形態１の階段構造の構成を、「全体構成」、［段板の構成］、［階段桁支持構造］、［手摺の構成］、［支柱の階段固定構造］、［壁面パネルの構成］に分けて説明する。
【００１２】
［全体構成］
図１は、実施の形態１の階段構造を適用したユニット建物の模式的な平面図であり、図２は、実施の形態１の階段構造を適用した階段の一部を示す分解斜視図であり、図３は、実施の形態１の階段構造を備えた階段の断面図である。以下、図１〜図３に基づいて、実施の形態１の全体構成を説明する。
【００１３】
実施の形態１の階段構造は、図１に示すユニット建物１に適用されている。ここで、ユニット建物１は、２階建てであって、基礎Ｂ（図３参照）の上に複数の下階の建物ユニット２,…を設置して１階部分を構成し、この１階部分の上に複数の上階の建物ユニット２を載置して構成されている。なお、この上階の建物ユニット２の上には、屋根ユニット（不図示）を設置して屋根を形成している。また、ユニット建物１は、集合住宅であり、１階部分および２階部分のそれぞれに、複数の建物ユニット２により独立した住宅スペース（部屋）が複数形成されている。
【００１４】
下階の建物ユニット２と上階の建物ユニット２は、いずれも、工場生産されており、柱および梁によって箱型に組み立てられた軸組式のものである。なお、下階の建物ユニット２を含む各建物ユニットは、床材の周縁に壁パネルを立設して箱型に組み立てられた壁式工法のものであってもよい。
【００１５】
そして、ユニット建物１は、図１に示すように、複数の下階の建物ユニット２を含む建物ユニットに囲まれた位置に、１階床Ｆ１と２階床Ｆ２をつなぐ階段１０を有する階段ユニット３が設けられている。なお、階段ユニット３は、１階部分と２階部分とに跨る吹き抜け空間を有する。
【００１６】
ここで、図３に示す基礎Ｂおよび床構造について説明を加えると、基礎Ｂは、基礎スラブＢ１と基礎梁Ｂ２とを備えた、いわゆる、べた基礎構造である。また、階段ユニット３では、桁床大梁３ｅが、基礎梁Ｂ２支持されている。なお、桁床大梁３ｅは、階段ユニット３の幅方向（図１の上下方向）の両端部において、ユニットの長手方向（図３の左右方向）に延在されている。そして、一対の桁床大梁３ｅに、床小梁３ａ（図５参照）が架け渡されている。なお、図３および後述する図５では、床小梁を指す「３ａ」の符号の後に（１）（２）のカッコ書き番号を表記するものがあるが、これは後述の説明においてこのカッコ書き番号が付いた特定位置の床小梁３ａを指す場合に使用するものである。したがって、（１）（２）の符号を有する特定の床小梁を指さない場合は、単に「３ａ」と表記する。
【００１７】
階段１０は、図１に示すように、階段ユニット３の内階段として設けられたもので、階段ユニット３の側壁３ｗに沿って設けられており、また、階段１０の幅方向で、側壁３ｗと反対側の端部には、階段１０に沿って、手摺３０が設けられている。
【００１８】
この階段１０は、図２に示すように、左右一対の階段桁１１,１１に、複数の段板１２,…の幅方向の両端部が支持された構造となっている。なお、図において矢印Ｚの方向が階段１０の上下方向であり、矢印Ｙの方向が階段１０の幅方向であり、矢印Ｘ方向が水平面で階段１０が延在する方向であり、矢印Ｓの方向が階段１０の傾斜に沿う方向である。
【００１９】
階段桁１１は、ウェブ１１ａと上側フランジ１１ｂと下側フランジ１１ｃとでコの字断面状の溝形鋼により形成されている。そして、図３に示すように、階段桁１１の下端部１１αが１階床Ｆ１の床板３ｄおよび桁支持部材４０に支持されている。また、階段桁１１の上端部１１βが階段ユニット３の天井梁３ｃにボルト固定されている。すなわち、階段桁１１は、下端部１１αおよび上端部１１βがそれぞれ階段ユニット３の梁構造に支持されている。なお、桁支持部材４０の詳細については後述する。
【００２０】
［段板の構成］
次に、段板１２の構成について説明する。
段板１２は、図２に示すように、その下側に沿って段板受金具１４が設けられて強度が確保されたもので、階段桁１１,１１に、段板接合金具１３を介して固定されている。この段板１２は、例えば、プラスチック再生複合材によって形成され、ハニカム構造などの強度を有した構造体を有している。段板１２は、平面視長方形の板状で、水平方向に延在された踏面部１２ａと、この踏面部１２ａの手前側の段鼻部分から垂下された垂下フランジ部１２ｂとにより、Ｌ字断面形状に形成されている。
【００２１】
段板接合金具１３は、階段桁１１の上側フランジ１１ｂにボルト固定されており、この段板接合金具１３（図３、図４Ｂ参照）に、段板受金具１４および段板１２が固定されている。
【００２２】
段板受金具１４は、金属鋼板製のもので左右の階段桁１１,１１にそれぞれ固定された左右一対の段板接合金具１３,１３間に架け渡されている。
【００２３】
［階段桁支持構造］
次に、階段桁１１の下端部１１αの支持構造を、図４Ａ、図４Ｂ、図５などに基づいて詳細に説明する。
図４Ａ、図４Ｂは、階段桁１１の下端部１１αの支持構造を示す拡大断面図であり、図４Ａは床小梁３ａの延在方向に直交する方向（矢印ｘ方向）から見た図であり、図４Ｂは床小梁３ａの延在方向（矢印ｙ方向）から見た図である。また、図５は建物ユニットの床構造の要部を示す斜視図である。
【００２４】
一対の階段桁１１，１１は、それぞれ、図４Ａ、図４Ｂに示すように、下端部１１αの取付片１１ｄが、床板３ｄに固定されている。この下端部１１αの取付片１１ｄの固定は、ボルト１１ｇを、床板３ｄおよびその下方に配置された桁支持部材４０に貫通させて締結することで成されている。
【００２５】
ここで、桁支持部材４０について説明する。
桁支持部材４０は、図４Ａに示すように、断面がコの字状の金属製のチャンネル材により形成されている。そして、図３に示すように、桁支持部材４０の長手方向の両端部が床小梁３ａ（１）、３ａ（２）に溶接あるいはボルト、ナットなどの締結部材を用いて結合されている。なお、この桁支持部材４０は、図４Ａに示すように、各階段桁１１の下端部１１αの真下となる位置に配置されている。
【００２６】
さらに、図５に示すように、床小梁３ａ（１）、３ａ（２）が束５０（ａ），５０（ｂ）により支持され、桁支持部材４０が、束５０（ｃ）により支持されている。なお、各束５０（ａ），５０（ｂ），５０（ｃ）は、同一構造のものを用いており、これらの特定のものを指さない場合は、（ａ）〜（ｃ）を省略して、単に束５０と表記する。
【００２７】
束５０は、周知の構造であるので、簡単に説明すると、ベースプレート５１にウエルドボルト５２が立設され、ウエルドボルト５２の上端にパイプ５３が嵌め込まれている。パイプ５３は、ナット５４の締付けでウエルドボルト５２に一体化されている。パイプ５３に対するウエルドボルト５２のねじ込み量によって束５０の高さが調節される。パイプ５３の上端にウエルドボルト５５が嵌め込まれ、ナット５６の締付けでウエルドボルト５５がパイプ５３に一体化されている。ウエルドボルト５５の上端に支持プレート５７が溶接などで固定されている。
【００２８】
各束５０のベースプレート５１は、基礎スラブＢ１に、コンクリートビス（図示省略）により固定されている。また、束５０（ａ），５０（ｂ）の支持プレート５７は、床小梁３ａ（１）、３ａ（２）にタッピングネジ５７ａにより固定されている。また、桁支持部材４０を支持する束５０（ｃ）の支持プレート５７は、桁支持部材４０にタッピングネジ５７ａにより固定されている。なお、支持プレート５７と床小梁３ａ（１）、３ａ（２）および桁支持部材４０との間には、低摩擦性のシート（例えば、ポリオレフィン系フィルム）が介在されている。
【００２９】
［手摺の構成」
次に、手摺３０の構成について説明する。
手摺３０は、図３に示すように、笠木（手摺部）６０と支柱７０，８０と壁面パネル９０を備える。
笠木６０は、階段１０の傾斜に沿って階段１０の全長に亘って設けられており、１階床Ｆ１に下端が固定された複数の支柱７０（ａ）、７０（ｂ）、７０（ｃ）、７０（ｄ）と２階床Ｆ２に下端が固定された支柱８０に支持されている。
【００３０】
なお、支柱７０は、１階床Ｆ１から立ち上げられて笠木６０を下側から支持するものであり、また、支柱８０は、２階床Ｆ２から立ち上げられ、その中間部の側面で笠木６０を支持する。また、下端が１階床Ｆ１に固定された複数の支柱７０（ａ）〜（ｄ）について、基本構造は同様であり、これら支柱７０（ａ）〜（ｄ）の特定のものを指さない場合には、符号末尾の（ａ）〜（ｄ）の表記は省略する。
【００３１】
笠木６０は、図３のＳ６−Ｓ６線の位置での断面を示す図６に示すように、上面部６０ａ、側面部６０ｂ，６０ｂにより逆Ｕ字断面形状に形成され、さらに、上面部６０ａの裏面から一対の挟持片６０ｃ，６０ｃが垂下されている。
【００３２】
そして、笠木６０は、支柱７０（ａ）と支柱８０とに架け渡された断面略Ｕ字状の金属製の笠木受材６１を、挟持片６０ｃ，６０ｃにより幅方向両側から挟んで支持するとともに、笠木受材６１が後述する壁面パネル９０の上部パネル枠９２が固定されている。
【００３３】
支柱７０は、図４Ａおよび図７に示すように、支柱ベース部材７１と、支柱本体部７２とを備える。
支柱ベース部材７１は、図７に示すように、ベースプレート７１ａと、このベースプレート７１ａから立設された突出部７１ｂと、を備える。そして、ベースプレート７１ａが１階床Ｆ１に固定されている。
【００３４】
ここで、手摺３０の最も低い位置の支柱７０（ａ）のベースプレート７１ａの１階床Ｆ１への固定構造と、その他の支柱７０（ｂ）〜（ｄ）のベースプレート７１ａの１階床Ｆ１への固定構造が異なるものであり、その違いについて説明する。
【００３５】
手摺３０の最も低い位置の支柱７０（ａ）のベースプレート７１ａの１階床Ｆ１への固定構造を説明すると、ベースプレート７１ａは、図４Ａに示すように、ベースプレート７１ａを貫通したボルト７１ｃを、その下方の床板３ｄおよび支柱支持部材４１を貫通させナット７１ｄを締結して固定されている。
それに対し、図３に概略を示すが、その他の支柱７０（ｂ）〜（ｄ）のベースプレート７１ａは、床板３ｄを貫通するボルトにナットを締結して固定されている。なお、これらの支柱７０（ｂ）〜（ｄ）も、支柱支持部材４１に固定するようにしてもよい。
【００３６】
支柱支持部材４１は、図４Ａに示すように、桁支持部材４０と平行に設けられており、図示は省略するが、桁支持部材４０と同様に、その長手方向の両端部が、床小梁３ａ（１），３ａ（２）に結合されている。
【００３７】
支柱本体部７２は、図７に示すように、その下端部に設けられた筒状の差込部７２ａに支柱ベース部材７１の突出部７１ｂを挿入した状態で、ボルトなどの締結部材により突出部７１ｂに固定されて起立状態に保持される。
【００３８】
ところで、支柱本体部７２は、手摺３０の最も低い位置の支柱７０（ａ）に用いた支柱本体部７２（ａ）と、その他の支柱７０（ｂ）〜（ｄ）に用いた支柱本体部７２（ｂ）とで形状が異なる。
【００３９】
すなわち、図３に示すように、手摺３０の最も低い位置の支柱７０（ａ）は、階段１０の延在方向（矢印Ｓ方向）の一側のみで壁面パネル９０を支持するのに対し、その他の支柱７０（ｂ）〜（ｄ）は、階段１０の延在方向の両側が壁面パネル９０を支持するため、その支持構造の有無により形状が異なる。
【００４０】
図８Ａは、手摺３０の最も低い位置を支持する支柱７０（ａ）の断面図であり、支柱本体部７２（ａ）の階段１０の延在方向（矢印Ｘ方向）の一側に、壁面パネル９０を支持するために前記延在方向（矢印Ｘ方向）に凹んだ嵌合凹部７２１が形成されている。なお、この嵌合凹部７２１は、支柱本体部７２（ａ）の上下方向の全長に亘って形成されている。
【００４１】
一方、図８Ｂは、支柱７０（ｂ）の断面図であり、支柱本体部７２（ｂ）の階段１０の延在方向（矢印Ｘ方向）の両側に、壁面パネル９０を支持するために前記延在方向（矢印Ｘ方向）に凹んだ嵌合凹部７２１が形成されている。なお、この嵌合凹部７２１は、支柱本体部７２（ｂ）の上下方向の全長に亘って形成されている。また、他の支柱７０（ｃ）、７０（ｄ）も、この支柱７０（ｂ）と同様の形状に形成され、その上下方向の全長の寸法のみ異なる。
【００４２】
［支柱の階段固定構造］
次に、支柱７０の階段１０に対する固定構造について説明する。
ここで、階段１０に対する固定構造も、手摺３０の最も低い位置の支柱７０（ａ）とその他の支柱７０（ｂ）〜（ｄ）とで異なっている。
【００４３】
すなわち、図３に示すように、手摺３０の最も低い位置の支柱７０（ａ）は、階段１０の最も低い位置の段板１２に固定されている。
それに対して、その他の支柱７０（ｂ）〜（ｄ）は、階段桁１１に固定されている。
【００４４】
（支柱と段板との固定構造）
まず、手摺３０の最も低い位置の支柱７０（ａ）と段板１２との固定構造について、図４Ｃに基づいて説明する。
図４Ｃに示すように、支柱７０（ａ）の支柱ベース部材７１の突出部７１ｂの側面と、段板１２の段板受金具１４の裏面とが、段板固定金具１１０を介して固定されている。この段板固定金具１１０は、突出部７１ｂにボルトなどにより固定された支柱受板１１１と、段板受金具１４にビスなどにより固定された段板受板１１２とが断面Ｌ字状を成して一体に形成され、かつ、両受板１１１，１１２に略三角形状の補強板１１３が結合されている。
なお、支柱本体部７２には、段板固定金具１１０と干渉しないように、図示を省略した切欠部が形成されている。
【００４５】
（支柱と階段桁との固定構造）
次に、支柱７０（ｂ）〜（ｄ）と階段桁１１との固定構造を、図１０Ａ、図１０Ｂに基づいて説明する。
なお、各支柱７０と階段桁１１との固定構造は共通しているため、これらうちの１本のみを図示する。
【００４６】
図１０Ａ、図１０Ｂに示すように、支柱７０の支柱本体部７２と階段桁１１とが、桁固定金具１２０を介して固定されている。
この桁固定金具１２０は、金属製で四角枠状に形成されている。そして、桁固定金具１２０の四角枠の対向する枠の一方を階段桁１１にボルト１２１およびナット１２２により締結されているとともに、対向する枠のもう一方を支柱７０の内側補強部材７３にボルト１２３およびナット１２４により締結されている。
【００４７】
［壁面パネルの構成］
次に、壁面パネルの９０の構成について説明する。
壁面パネル９０は、図３に示すガラスパネル９１を備える。
ガラスパネル９１は、透光性を有し、その上縁および下縁が階段の傾斜に沿うとともに、階段１０の延在方向の両側縁が鉛直方向に沿う平行四辺形状に形成されている。
【００４８】
ガラスパネル９１の四周には、上部パネル枠９２、側部パネル枠９３、下部パネル枠９４が設けられている。すなわち、ガラスパネル９１の上縁には、上部パネル枠９２が設けられ（図６参照）、両側縁には、側部パネル枠９３が設けられ（図８Ａ、図８Ｂ参照）、下縁には、下部パネル枠９４が設けられている（図９参照）。
【００４９】
上部パネル枠９２は、アルミなどの軽量金属あるいは樹脂により図６に示すように筒状に形成された枠体本体９２ａを備える。また、枠体本体９２ａは、その下部に、ガラスパネル９１の外周縁に設けられたグレイジングチャンネルＰを嵌合可能に上方に向けて凹んだ形状の嵌合凹部９２ｃを備える。このように、ガラスパネル９１は、外周縁に設けられたグレイジングチャンネルＰを上部パネル枠９２の嵌合凹部９２ｃに嵌め合わせることで上部パネル枠９２に固定されている。
【００５０】
なお、上部パネル枠９２には、前述した笠木６０の笠木受材６１が、その長手方向の複数箇所で固定されている。この固定は、上部パネル枠９２に設けられたネジ受９２ｄに、笠木受材６１側からネジ６２を締結して成されている。
【００５１】
図８Ａ、図８Ｂに示す側部パネル枠９３は、アルミなどの軽量金属あるいは樹脂により形成され、かつ、ガラスパネル９１を保持可能な高い剛性を備えている。また、側部パネル枠９３は、Ｕ字、逆Ｕ字、Ｕ字断面を並列に並べたチャンネル状に形成され、その幅方向の中央が嵌合凹部９３ａとされ、その両側に溝部９３ｂ，９３ｂが形成されている。そして、嵌合凹部９３ａに、ガラスパネル９１の外周縁に設けられたグレイジングチャンネルＰが嵌め合わされて固定されている。また、側部パネル枠９３は、長手方向の複数箇所を、支柱本体部７２にビス止めされている。
【００５２】
図９に示す下部パネル枠９４は、側部パネル枠９３と共用されたもので、図示は省略するが、側部パネル枠９３と同様に形成された嵌合凹部に外周縁に設けられたグレイジングチャンネルＰが嵌め合わされて固定されている。
【００５３】
なお、図９は、壁面パネル９０の支柱７０による支持構造を示すもので、支柱７０に固定された支持金具１００の上向きの爪部１０１を、側部パネル枠９３の溝部９３ｂ，９３ｂに差し込むように設置することで、壁面パネル９０が支柱７０に対して所定の高さに支持されている。
【００５４】
（実施の形態の作用）
次に、作用を説明する。
階段昇降時に段板１２を介して階段桁１１に振動が生じると、その振動が、床板３ｄに伝達され、音、振動が生じる。また、階段桁１１が、階段１０の高さ方向（図３の矢印Ｚ方向）に撓み、階段１０に縦揺れが生じることでも、音、振動が生じる。
【００５５】
特に、本実施の形態１のように、階段ユニット３に隣接して建物ユニット２、すなわち住宅スペース（部屋）が配置されている場合、階段１０の振動や音が建物ユニット２の住宅スペース（部屋）に伝達されると、騒音などとして、いっそう問題となる。
【００５６】
実施の形態１の階段構造では、以下に説明するように、１階床Ｆ１における階段桁１１の支持剛性、手摺３０の支持剛性を向上させるとともに、手摺３０の剛性を向上させることにより、昇降時の音、振動の発生を抑制することができる。
【００５７】
まず、階段桁１１の支持剛性の向上について説明する。
本実施の形態１では、階段桁１１の下端部１１αを支持する床板３ｄの下方位置に、床小梁３ａ（１）、３ａ（２）どうしを連結した桁支持部材４０が配置されている。そして、この桁支持部材４０に、階段桁１１の下端部１１αを固定し、さらに、この桁支持部材４０および床小梁３ａ（１）、３ａ（２）と基礎スラブＢ１との間に、束５０（ａ），５０（ｂ）、５０（ｃ）が設けられている。
【００５８】
このため、階段桁１１の下端部１１αを支持する床板３ｄの剛性が向上し、これにより、階段昇降時の床板３ｄの振動をさらに抑え、階段１０の制振を図り、音、振動の発生を抑制できる。
【００５９】
さらに、束５０は、ベースプレート５１がコンクリートビス５１ａにより基礎スラブＢ１に固定されているため、この固定を行わないものと比較して、床小梁３ａ（１）、３ａ（２）および桁支持部材４０の支持剛性が、さらに向上する。このため、階段１０の制振を図り、音、振動の発生を抑制できる。しかも、実施の形態では、束５０の上端部の支持プレート５７を、床小梁３ａおよび桁支持部材４０に結合したため、この結合を行わないものと比較して、床小梁３ａおよび桁支持部材４０の剛性および床板３ｄが向上する。これにより、さらに制振性能を向上可能である。
【００６０】
次に、手摺３０の支持剛性の向上について説明する。
本実施の形態１では、手摺３０の支柱７０は、笠木６０の最も下方位置を支持する支柱７０（ａ）のみならず、他の支柱７０（ｂ）〜（ｄ）も、その下端部を段板１２ではなく床板３ｄに固定されている。
したがって、段板１２に下端部を固定するものと比較して、支柱７０の支持剛性を高めることができる。
【００６１】
さらに、各支柱７０（ａ）〜（ｄ）は、中間部を階段１０に固定されている。
したがって、各支柱７０（ａ）〜（ｄ）の下端部のみを床板３ｄに固定したものよりも、各支柱７０（ａ）〜（ｄ）の支持剛性を高めることができる。
これにより、手摺３０の支持剛性が向上し、昇降時の階段１０の振動を手摺３０により抑えることができるとともに、手摺３０自体の振動も抑えることができる。
【００６２】
加えて、手摺３０には、笠木６０と各支柱７０（ａ）〜（ｄ）とにより形成される枠組み部分の内側に、壁面パネル９０が設けられている。
したがって、笠木６０と各支柱７０（ａ）〜（ｄ）とにより形成される枠組み部分の剛性を壁面パネル９０によりさらに高め、上記の階段１０の振動および手摺３０の振動抑制性能をさらに高めることができる。
【００６３】
しかも、壁面パネル９０は、高剛性のガラスパネル９１を面材としているため、さらの剛性を高め、上記の階段１０の振動および手摺３０の振動抑制性能をさらに高めることができる。加えて、壁面パネル９０は、ガラスパネル９１の四周を上部パネル枠９２、側部パネル枠９３、下部パネル枠９４により囲った構造であるため、さらに剛性を高め、上記の階段１０の振動および手摺３０の振動抑制性能をさらに高めることができる。
【００６４】
さらに、支柱７０（ａ）は、床板３ｄを貫通して、両端を床小梁３ａ（１）、３ａ（２）に固定された支柱支持部材４１に固定されている。
したがって、支柱７０（ａ）の下端部を床板３ｄのみに固定したものよりも、支持剛性を高め、上記の階段１０の振動および手摺３０の振動抑制性能をさらに高めることができる。また、床小梁３ａ（１）、３ａ（２）と基礎スラブＢ１との間に束５０（ａ），５０（ｂ）が介在されていることにより、束５０（ａ），５０（ｂ）を設けないものよりも、支柱７０（ａ）の支持剛性をさらに高めることができる。
【００６５】
（以下に、実施の形態１の効果を列挙する）
１）実施の形態１の階段構造は、
ユニット建物１の１階床Ｆ１（下階）と２階床Ｆ２（上階）とを連絡する階段１０と、
１階床Ｆ１から立設された複数の支柱７０（ａ）〜（ｄ）と、
支柱７０（ａ）〜（ｄ）の上端部が連結され、階段１０の傾斜に沿って延在された手摺部としての笠木６０と、
を備え、
支柱７０（ａ）〜（ｄ）は、下端部が１階床Ｆ１に固定されているとともに、中間部が階段１０に固定されていることを特徴とする。
【００６６】
したがって、支柱の下端部が段板１２から立ち上げられたものと比較して、支柱７０（ａ）〜（ｄ）による笠木６０の支持剛性を高めることができる。しかも、支柱７０（ａ）〜（ｄ）が階段１０に固定されているため、階段１０の支持剛性も向上し、昇降時の音、振動の発生を抑制することが可能となる。
【００６７】
２）実施の形態１の階段構造は、
支柱７０（ａ）〜（ｄ）の間に、上端縁が階段１０の傾斜に沿って傾斜した壁面パネル９０が、支柱７０（ａ）〜（ｄ）に固定されて設けられていることを特徴とする。
したがって、支柱７０（ａ）〜（ｄ）どうしが、笠木６０に加え、壁面パネル９０により結合されるため、壁面パネル９０を設けないものと比較して、支柱７０（ａ）〜（ｄ）の支持剛性を高めることができる。これにより、上記の笠木６０の支持剛性の向上効果および階段１０の昇降時の音、振動の抑制効果をさらに高めることができる。
【００６８】
３）実施の形態１の階段構造は、
壁面パネル９０は、上端部が笠木６０に結合されていることを特徴とする。
したがって、支柱７０（ａ）〜（ｄ）、笠木６０、壁面パネル９０が相互に結合され、壁面パネル９０を笠木６０に結合しないものと比較して、上記の笠木６０の支持剛性の向上効果および階段１０の昇降時の音、振動の抑制効果をさらに高めることができる。
【００６９】
４）実施の形態１の階段構造は、
壁面パネル９０は、透光性を有するパネル材としてのガラスパネル９１と、このガラスパネル９１の外周を囲んで保持可能な剛性を有する枠部材としての上部パネル枠９２、側部パネル枠９３，９３、下部パネル枠９４と、を備えることを特徴とする。
壁面パネル９０は、透光性を有したガラスパネル９１を備えるため、段板１２の視認性を確保できる。また、壁面パネル９０は、枠部材としての各枠９２〜９４に囲まれた構造であるため、単にパネル材のみにより構成するものと比較して、壁面パネル９０の剛性が高く、上記の笠木６０の支持剛性の向上効果および階段１０の昇降時の音、振動の抑制効果をさらに高めることができる。
加えて、パネル材として高剛性のガラスパネル９１を用いたため、壁面パネル９０の剛性を高くし、上記の笠木６０の支持剛性の向上効果および階段１０の昇降時の音、振動の抑制効果をさらに高めることができる。
【００７０】
５）実施の形態１の階段構造は、
支柱７０（ａ）の中間部の階段１０への固定は、階段１０の段板１２に対して成されていることを特徴とする。
したがって、支柱７０の中間部の階段１０への固定を、容易に実施することができる。特に、階段桁１１が存在しない位置に配置された支柱７０（ａ）であっても、階段１０に固定することができる。
【００７１】
６）実施の形態１の階段構造は、
支柱７０の中間部の階段１０への固定は、階段１０の階段桁１１に対して成されていることを特徴とする。
したがって、支柱７０の中間部の階段１０への固定を、容易に実施することができる。この場合、支柱７０を階段１０に対して強固に固定することが容易である。
【００７２】
７）実施の形態１の階段構造は、
階段１０は、１階床Ｆ１の床小梁３ａに直交する方向に延在され、
階段１０の延在方向に沿って、１階床Ｆ１の床小梁３ａ（１）と床小梁３ａ（２）とを連結した支柱支持部材４１が設けられ、
支柱７０（ａ）の下端部の支柱ベース部材７１が、１階床Ｆ１の床板３ｄおよび支柱支持部材４１に固定されていることを特徴とする。
したがって、支柱７０（ａ）の下端部を床板３ｄのみに固定したものと比較して、支柱７０（ａ）の支持剛性をさらに向上させることができる。
【００７３】
８）実施の形態１の階段構造は、
支柱支持部材４１に連結された床小梁３ａ（１）、３ａ（２）と基礎スラブＢ１との間に、束５０（ａ），５０（ｂ）が設けられていることを特徴とする。
したがって、支柱支持部材４１の支持剛性が向上し、支柱７０（ａ）の支持剛性をさらに向上させることができる。
【００７４】
９）実施の形態１の階段構造は、
支柱７０は、下階の床である１階床Ｆ１に固定されたベースプレート７１ａから立設した突出部７１ｂと、突出部７１ｂが挿入される差込部７２ａが下端に形成された支柱本体部７２と、を有することを特徴とする。
したがって、長尺な支柱を直接１階床Ｆ１に設置する場合と比べて、施工性が向上し、支柱の傾きや位置ずれを防止することができる。さらに、長さが異なる支柱７０においても、突出部７１ｂの共用が可能となる。
【００７５】
（実施の形態２）
次に、実施の形態２の階段構造について説明する。
なお、実施の形態２の階段構造は、実施の形態１の変形例であるため、実施の形態１との相違点のみ説明する。
【００７６】
実施の形態２の階段構造は、手摺３０の複数の支柱７０（ａ）〜（ｄ）の内の最も低い位置に配置した支柱７０（ａ）の１階床Ｆ１に対する固定構造が実施の形態１と異なる。すなわち、実施の形態２では、支柱７０（ａ）を、床小梁３ａ（１）と基礎スラブＢ１とに固定したものであり、そのため実施の形態２では、図１１Ａ、図１１Ｂ、図１１Ｃに示すように、支柱７０（ａ）の支柱ベース部材２７１が実施の形態１と異なる。
【００７７】
この支柱ベース部材２７１は、ベースプレート２７１ａと、このベースプレート２７１ａから立設された突出部２７１ｂと、を備える。そして、ベースプレート２７１ａが基礎スラブＢ１に固定され、突出部２７１ｂは、基礎スラブＢ１の位置から、床板３ｄに開口された開口部３ｆを貫通して、１階床Ｆ１上に実施の形態１と同様の寸法だけ突出できる長さに形成されている。なお、ベースプレート２７１ａは、コンクリートビス２７１ｃにより基礎スラブＢ１に固定されている。
【００７８】
さらに、突出部２７１ｂの中間部は、断面Ｌ字状の固定用ブラケット２７１ｄにより床小梁３ａ（１）に固定されている。なお、この固定は、図示のように、固定用ブラケット２７１ｄを、ボルト２７１ｅにより、突出部２７１ｂと床小梁３ａ（１）に締結することで成されている。
【００７９】
したがって、実施の形態２では、支柱７０（ａ）が基礎スラブＢ１に固定されることで、床板３ｄに固定するものよりもさらに剛性を向上できる。また、この支柱７０（ａ）へ振動が入力された場合に、その振動が直接床板３ｄに伝達されないため、１階床Ｆ１における音、振動の発生をさらに抑制することができる。
【００８０】
以上説明した実施の形態２の階段構造は、以下の効果を奏する。
2-1）実施の形態２の階段構造は、
支柱７０（ａ）の下端部が、１階床Ｆ１を貫通して床下の基礎スラブＢ１に固定されていることを特徴とする。
したがって、支柱７０（ａ）を１階床Ｆ１の床板３ｄに固定する場合よりも、強固に固定可能であるとともに、支柱７０（ａ）に入力される振動が床板３ｄに伝達されることが無く、階段１０の振動抑制性能を向上できる。
【００８１】
2-2）実施の形態２の階段構造は、
支柱７０（ａ）の下端部の１階床Ｆ１への固定は、１階床Ｆ１の床小梁３ａ（１）に対して成されていることを特徴とする。
したがって、支柱７０（ａ）の下端部である支柱ベース部材２７１を床板３ｄに貫通させた場合でも、１階床Ｆ１に対しても固定することができる。そして、基礎スラブＢ１のみに固定するよりも、支柱７０（ａ）の支持剛性を向上できる。
【００８２】
以上、本開示の階段制振構造を実施の形態に基づき説明してきたが、具体的な構成については、これらの実施の形態に限られるものではなく、特許請求の範囲の各請求項に係る発明の要旨を逸脱しない限り、設計の変更や追加等は許容される。
【００８３】
例えば、実施の形態では、階段を、下階としての１階と上階としての２階との間に設けたものを示したが、２階以上の階段にも適用することができる。
さらに、制振構造を適用する階段は、実施の形態で示したユニット建物に設置される階段に限定されるものではなく、ユニット建物以外の在来工法などによる一般建築物にも適用可能である。
【００８４】
また、実施の形態では、壁面パネルのパネル材としてガラスパネルを用いたがこれに限定されない。例えば、透光性を有したものとして、ガラス以外の樹脂製のパネル材を用いてもよい。また、透光性を有しないパネル材を用いてもよい。
さらに、壁面パネルは、その下縁が階段の傾斜に沿う形状としたが、これに限定されず、例えば、階段よりも下方位置まで延在させてもよい。また、壁面パネルは、その四周に枠部材を設けた例を示したが、これに限定されず、例えば、下縁部を除く、上縁部、両側部に設けてもよいし、両側部のみに設けてもよい。
【００８５】
また、実施の形態では、支柱を、床に固定するのにあたり、階段の最も低い位置に設ける支柱のみ、床板の下に支柱支持部材を用いた例を示したが、他の支柱の床への固定にも支柱支持部材を用いてもよい。
あるいは、階段の最も低い位置に設ける支柱も、他の支柱と同様に、床板に固定する構造としてもよい。
また、実施の形態２では、階段の最も低い位置に設ける支柱のみ、基礎スラブと床小梁に固定した例を示したが、他の支柱についても、基礎スラブに固定するようにしてもよい。また、この下端を基礎スラブに固定した場合でも、床への固定は、床小梁に限らず、開口の周囲の床板に固定するようにしてもよい。
【００８６】
また、支柱の階段に対する固定についても、実施の形態で示した固定構造に限定されない。例えば、段板に固定するのにあたり、その下面の段板受金具の下面に固定するものを示したが、段板の側面などと固定してもよいし、その固定に用いる固定金具の形状も実施の形態で示した形状に限定されない。また、最も低い位置の支柱以外の支柱についても、最も低い位置の支柱と同様に段板に固定するようにしてもよい。さらに、支柱を階段桁に固定するにあたっても、要は、支柱と階段桁とを結合できればよく、その固定に用いる固定金具の形状は、実施の形態に示したものに限定されない。
【００８７】
また、実施の形態では、階段桁として、段板を下方から支持する力桁を用いたいわゆる「力桁階段」を示したが、これに限定されず、例えば、階段桁として、段板の端部を支持する側桁を用いた「側桁階段」に適用することもできるし、階段桁として、段板を段形に切り込んだ形状のささら桁によって下方から支持する「ささら桁階段」に適用することもできる。
【００８８】
また、実施の形態では、階段桁の下端部を、床板のみならず、桁支持部材に固定した例を示したが、これに限定されず、階段桁は、床板のみに固定してもよい。この場合も、階段桁の下端部近傍の床小梁と基礎スラブとの間に束を設けた方が好ましい。また、実施の形態では、束を設けた例を示したが、束は設けなくてもよい。
【００８９】
また、実施の形態では支柱本体部を中空に形成した例を示したが、内部に補強部材を設けていっそうの剛性向上を図ってもよい。
また、実施の形態では、階段の幅方向の一方を建物ユニットの側壁に沿わせ、手摺を階段の幅方向の一側に設けた例を示したが、図１２に示すように、階段１０の幅方向の両側に手摺３０，３０を設けた構造としてもよい。
【符号の説明】
【００９０】
３ａ 床小梁
１０ 階段
１１ 階段桁
１２ 段板
３０ 手摺
４０ 桁支持部材
４１ 支柱支持部材
５０ 束
６０ 笠木（手摺部）
７０ 支柱
７１ａ     ベースプレート
７１ｂ     突出部
７２ 支柱本体部
７３ 内側補強部材
９０ 壁面パネル
９１ ガラスパネル（パネル材）
９２ 上部パネル枠（枠部材）
９３ 側部パネル枠（枠部材）
９４ 下部パネル枠（枠部材）
１１０     段板固定金具
１２０     桁固定金具
２７１ａ   ベースプレート
２７１ｂ   突出部
Ｂ   基礎
Ｂ１ 基礎スラブ
Ｆ１ １階床（下階の床）
Ｆ２ ２階床（上階の床）
【図１】
2018162639.tif 000003
【図２】
2018162639.tif 000004
【図３】
2018162639.tif 000005
【図４Ａ】
2018162639.tif 000006
【図４Ｂ】
2018162639.tif 000007
【図４Ｃ】
2018162639.tif 000008
【図５】
2018162639.tif 000009
【図６】
2018162639.tif 000010
【図７】
2018162639.tif 000011
【図８Ａ】
2018162639.tif 000012
【図８Ｂ】
2018162639.tif 000013
【図９】
2018162639.tif 000014
【図１０Ａ】
2018162639.tif 000015
【図１０Ｂ】
2018162639.tif 000016
【図１１Ａ】
2018162639.tif 000017
【図１１Ｂ】
2018162639.tif 000018
【図１１Ｃ】
2018162639.tif 000019
【図１２】
2018162639.tif 000020